(57)【要約】【課題】衝突検出精度の向上を図ることのできる車両用衝突検出装置を提供する。【解決手段】衝突検出センサ２０は、車両１０のフロントバンパ１１とバンパリインフォースメント１８との間で車幅方向に延びるように同バンパリインフォースメント１８の前面に設けられて、外面が押圧されることによって出力が変化する。押圧補助部３０は、フロントバンパ１１と衝突検出センサ２０との間で車幅方向に延びるように同フロントバンパ１１の後面に取り付けられている。押圧補助部３０は、フロントバンパ１１の後面に沿って延びるベース部３１と、ベース部３１から衝突検出センサ２０の前面に向けて突出する形状で同ベース部３１に車幅方向に間隔を置いて設けられた複数の凸部３８とを有する。【選択図】図３
2018176894.tif 000002
【特許請求の範囲】
【請求項１】
車両のフロントバンパとバンパリインフォースメントとの間で車幅方向に延びるように同バンパリインフォースメントの前面に設けられて、外面が押圧されることによって出力が変化する衝突検出センサ、および、
前記フロントバンパと前記衝突検出センサとの間で車幅方向に延びるように同フロントバンパの後面に取り付けられて、前記フロントバンパの後面に沿って延びるベース部と、前記ベース部から前記衝突検出センサの前面に向けて突出する形状で同ベース部に車幅方向に間隔を置いて設けられた複数の凸部とを有する押圧補助部
を備える車両用衝突検出装置。
【請求項２】
請求項１に記載の車両用衝突検出装置において、
前記押圧補助部は、前記ベース部における隣り合う２つの前記凸部に挟まれた部分において同ベース部を貫通するスリットを有する
ことを特徴とする車両用衝突検出装置。
【請求項３】
請求項１または２に記載の車両用衝突検出装置において、
前記凸部は中空構造である
ことを特徴とする車両用衝突検出装置。
【請求項４】
請求項１〜３のうちのいずれか１項に記載の車両用衝突検出装置において、
前記押圧補助部は、前記フロントバンパにおける車幅方向の中央部分を間に挟む両外側部分にそれぞれ取り付けられる
ことを特徴とする車両用衝突検出装置。
【請求項５】
請求項１〜４のうちのいずれか１項に記載の車両用衝突検出装置において、
前記凸部は、車幅方向における中央側に配置される凸部の車幅方向寸法と車幅方向における外方側に配置される凸部の車幅方向寸法とが、前記中央側に配置される凸部と前記外方側に配置される凸部との間に配置される凸部の車幅方向寸法よりも大きい
ことを特徴とする車両用衝突検出装置。
【発明の詳細な説明】
【技術分野】
【０００１】
本発明は、車両への衝突体の衝突を検出する車両用衝突検出装置に関するものである。
【背景技術】
【０００２】
従来、車両のフロントバンパとバンパリインフォースメントとの間で車幅方向に延びるように衝突検出センサを配設した車両用衝突検出装置が知られている（例えば特許文献１）。
【０００３】
特許文献１に記載の装置では、衝突検出センサが、バンパリインフォースメントの前面に沿って延びる圧力チューブと、圧力チューブおよびバンパリインフォースメントの前方を覆うように延びるアブソーバと、圧力チューブの内部圧力を検出する圧力検出部とを有している。この装置では、車両前方に衝突体が衝突すると、フロントバンパが凹んでアブソーバが変形し、同アブソーバによって押圧されることによって圧力チューブの内圧が高くなる。こうした圧力チューブの内圧上昇を圧力検出部によって検出することによって、衝突体の衝突が検出される。
【０００４】
また特許文献１の装置では、フロントバンパの後面に、アブソーバの前面に向けて突出する凸部が一体に設けられている。この装置では、車両前方への衝突体の衝突時に、上記凸部によってアブソーバが押圧されて変形するようになっている。
【先行技術文献】
【特許文献】
【０００５】
【特許文献１】特開２０１５−１３１５８９号公報
【発明の概要】
【発明が解決しようとする課題】
【０００６】
上記車両用衝突検出装置では、車幅方向に延びる凸部がフロントバンパの後面に一体に設けられているために、その分だけフロントバンパの剛性が高くなってしまう。これにより、車両前方への衝突体の衝突時においてフロントバンパやアブソーバが変形し難い構造になるため、これは衝突検出センサによる衝突検出精度の更なる向上を図るうえで問題の１つになる。
【０００７】
本発明は、そうした実情に鑑みてなされたものであり、その目的は、衝突検出精度の向上を図ることのできる車両用衝突検出装置を提供することにある。
【課題を解決するための手段】
【０００８】
上記課題を解決するための車両用衝突検出装置は、車両のフロントバンパとバンパリインフォースメントとの間で車幅方向に延びるように同バンパリインフォースメントの前面に設けられて、外面が押圧されることによって出力が変化する衝突検出センサ、および、前記フロントバンパと前記衝突検出センサとの間で車幅方向に延びるように同フロントバンパの後面に取り付けられて、前記フロントバンパの後面に沿って延びるベース部と、前記ベース部から前記衝突検出センサの前面に向けて突出する形状で同ベース部に車幅方向に間隔を置いて設けられた複数の凸部とを有する押圧補助部を備える。
【０００９】
上記構成によれば、凸部を有する押圧補助部がフロントバンパに設けられるとはいえ、同押圧補助部における凸部が形成された部分の剛性が高くなるのに対して、２つの凸部に挟まれる部分の剛性を低くすることができる。そのため、押圧補助部における２つの凸部に挟まれた部分を曲がり易い構造にすることができる。これにより、車両前面への衝突体の衝突に際して、押圧補助部やフロントバンパが後方に凹み易くなるため、フロントバンパともども後方に移動する押圧補助部の凸部によって衝突検出センサの外面が押圧され易くなる。このように上記構成によれば、車幅方向に延びる凸部が１つのみ設けられる装置と比較して、押圧補助部およびフロントバンパを高い自由度で変形させることができるため、衝突検出センサによる衝突検出精度を向上させることができる。
【００１０】
上記車両用衝突検出装置において、前記押圧補助部は、前記ベース部における隣り合う２つの前記凸部に挟まれた部分において同ベース部を貫通するスリットを有することが好ましい。
【００１１】
上記構成によれば、押圧補助部における２つの凸部によって挟まれた部分の剛性を低くすることができるため、押圧補助部およびフロントバンパをより高い自由度で変形させることができるようになる。
【００１２】
上記車両用衝突検出装置において、前記凸部は中空構造であることが好ましい。
上記構成によれば、中実構造の凸部が設けられる場合と比較して、押圧補助部の軽量化を図ることができる。これにより、車両前面への衝突体の衝突時における押圧補助部の移動速度を高くしてフロントバンパの変形速度を高くすることができるため、衝突検出センサによる衝突検出精度を向上させることができる。
【００１３】
上記車両用衝突検出装置において、前記押圧補助部は、前記フロントバンパにおける車幅方向の中央部分を間に挟む両外側部分にそれぞれ取り付けられる。
一般に、フロントバンパは合成樹脂によって成形される。そのため、後面に複数の凸部を一体形成するなどしてフロントバンパを複雑な形状にすると、その成形に際して表面に窪み（いわゆるヒケ）が発生するおそれがある。フロントバンパにおける車幅方向の中央部分は、フロントグリルなどの装飾部材が設けられて車両外部から隠れるため、表面にヒケが発生しても問題になりにくい。これに対して、フロントバンパにおける車幅方向の外側部分は、外面が意匠面になる部分であるため、表面にヒケが発生すると商品性の低下を招いてしまう。
【００１４】
上記構成によれば、フロントバンパにおける車幅方向の両外側部分においては、別体に形成された押圧補助部がフロントバンパに取り付けられる。そのため、フロントバンパの表面にヒケが発生することを抑えつつ、同フロントバンパの後方に凸部を配置することができる。
【００１５】
上記車両用衝突検出装置において、前記凸部は、車幅方向における中央側に配置される凸部の車幅方向寸法と車幅方向における外方側に配置される凸部の車幅方向寸法とが、前記中央側に配置される凸部と前記外方側に配置される凸部との間に配置される凸部の車幅方向寸法よりも大きい。
【００１６】
一般に、フロントバンパの前面は、車幅方向における外方側に向かうほど後方側の位置になるように湾曲している。このことから、車両前部の車幅方向における中央部分は、衝突体の侵入角度が大きくなり易く、衝突体によってフロントバンパを押圧する力が大きくなり易いため、凸部の車幅方向寸法を大きくして押圧補助部の剛性を高くしても、フロントバンパは適度に変形するようになると云える。また、車両前部の車幅方向における外側部分は、衝突体の侵入角度が小さくなり易く、衝突体によってフロントバンパを押圧する力が小さくなり易いため、凸部の車幅方向寸法を大きくすることによって同凸部による衝突検出センサの押圧幅を大きくして、同衝突検出センサの変形量を大きくすることが好ましい。さらに、車両前部における上記中央部分と外側部分との間の中間部分は、衝突体によってフロントバンパを押圧する力が中央部分ほど大きくはないため、凸部の車幅方向寸法を小さくしてフロントバンパおよび押圧補助部の剛性を低くすることによって、同フロントバンパを確実に変形させることが好ましい。
【００１７】
上記構成によれば、フロントバンパの各部における実情に合わせて凸部を配置することができるため、衝突検出センサによる衝突検出精度を好適に向上させることができる。
【発明の効果】
【００１８】
本発明によれば、衝突検出精度の向上を図ることができる。
【図面の簡単な説明】
【００１９】
【図１】一実施形態の車両用衝突検出装置が適用される車両の概略構成を示す略図。
【図２】同車両の正面図。
【図３】車両前部の分解平面視構造を示す断面図。
【図４】車両前部の側断面構造を示す断面図。
【図５】押圧補助部の正面図。
【図６】押圧補助部の平面図。
【図７】押圧補助部およびその周辺の平断面構造を示す断面図。
【図８】衝突時における押圧補助部およびその周辺の平断面構造を示す断面図。
【発明を実施するための形態】
【００２０】
以下、車両用衝突検出装置の一実施形態について説明する。
図１および図２に示すように、車両１０の前部にはフロントバンパ１１が取り付けられている。車両１０の前部における両外側部分には前照灯１２やフォグランプ１３が取り付けられている。また、車両１０の前部には、その上方を覆うようにフード１４が取り付けられている。
【００２１】
図１に示すように、車両１０には、前方から衝突体が衝突した場合に上記フード１４の後方を上方に持ち上げる装置（いわゆるポップアップフード装置１５）が設けられている。このポップアップフード装置１５は、車両１０の前部に取り付けられて衝突体の衝突を検出する衝突検出センサ２０と、衝突を検出したときに作動してフード１４の後方を持ち上げるアクチュエータ１６と、衝突検出センサ２０の出力信号に基づいてアクチュエータ１６の作動を制御する電子制御装置１７とを備えている。そして、衝突検出センサ２０によって衝突体の衝突が検出されると、これを受けて電子制御装置１７がアクチュエータ１６を作動させることにより、フード１４の後方が上方に持ち上げられる。
【００２２】
以下、車両１０の前部構造を具体的に説明する。
図３に示すように、車両１０の前部には、前方側から順に、フロントバンパ１１、押圧補助部３０、衝突検出センサ２０、バンパリインフォースメント１８が配置されている。
【００２３】
フロントバンパ１１は、合成樹脂材料によって形成されており、その前面が車幅方向における外方側に向かうほど後方側の位置になるように湾曲している。フロントバンパ１１の車幅方向における中央部分（以下、単に「中央部分」）には前方を覆うようにフロントグリル１９（図２参照）が取り付けられている。
【００２４】
押圧補助部３０は、合成樹脂材料によって一体成形されている。押圧補助部３０は、フロントバンパ１１と衝突検出センサ２０との間で車幅方向に延びるように、同フロントバンパ１１の後面に取り付けられている。この押圧補助部３０の具体構造は後に詳述する。
【００２５】
バンパリインフォースメント１８は、車両１０の骨格の前端を構成するものであり、フロントバンパ１１の後方において車幅方向に延びている。
図３および図４に示すように、衝突検出センサ２０は、密閉された中空構造の圧力チューブ２１と、多孔質状の合成樹脂材料（発泡ウレタン等）からなるアブソーバ２２と、圧力チューブ２１の内圧を検出する圧力検出部２３（図３）とからなる。そして、圧力チューブ２１はバンパリインフォースメント１８の前面に沿って延びており、アブソーバ２２は圧力チューブ２１およびバンパリインフォースメント１８の前方を覆うように延びている。なお、圧力チューブ２１およびアブソーバ２２は、押圧補助部３０の形成材料よりも軟質の材料からなり、同押圧補助部３０（詳しくは、その凸部３８［図４］）によって押圧されると潰れるように変形するようになっている。
【００２６】
本実施形態では、車両１０の前部に衝突体が衝突すると、フロントバンパ１１が凹むとともにアブソーバ２２が潰れるように変形する。このときアブソーバ２２によって圧力チューブ２１の外面が押圧されて同圧力チューブ２１の内圧が高くなる。こうした圧力チューブ２１の内圧上昇が圧力検出部２３によって検出されて、車両１０前部への衝突体の衝突が検出される。
【００２７】
本実施形態では、フロントバンパ１１と衝突検出センサ２０との間に押圧補助部３０が設けられており、この押圧補助部３０によって衝突検出センサ２０の外面が押圧されるようになっている。
【００２８】
以下、押圧補助部３０の具体構造について説明する。
図３に示すように、押圧補助部３０は、フロントバンパ１１と衝突検出センサ２０との間で車幅方向に延びるように同フロントバンパ１１の後面に取り付けられている。本実施形態では、押圧補助部３０を２つ有しており、それら押圧補助部３０は、フロントバンパ１１の中央部分を車幅方向において間に挟む外側部分（以下、単に「外側部分」）にそれぞれ取り付けられている。なお２つの押圧補助部３０は、基本構造が同一であり、車両１０の車幅方向の中央において上下方向に延びる面を対称面として面対称の形状である。そのため以下では、２つの押圧補助部３０の各部に同一の符号を付して示すとともに、車両１０の右側に取り付けられる押圧補助部３０の構造についてのみ説明し、車両１０の左側に取り付けられる押圧補助部３０の構造についての説明は割愛する。
【００２９】
図３および図４に示すように、押圧補助部３０は、フロントバンパ１１の後面と同様に湾曲した帯状のベース部３１を有する。押圧補助部３０は、ベース部３１がフロントバンパ１１の後面に沿って延びるように、同フロントバンパ１１の後面に取り付けられる。
【００３０】
図５に示すように、押圧補助部３０は、ベース部３１の上部に車幅方向（図５の左右方向）に間隔を置いて設けられた２つの上部固定部３２，３４と、ベース部３１の下部に車幅方向に間隔を置いて設けられた２つの下部固定部３５，３６との合計４つの固定部を有している。そして、２つの上部固定部３２，３４のうちの外方側（図５の左側）のもの（固定部３２）は、両面テープによってフロントバンパ１１の後面に接着固定されている。また、４つの固定部３２，３４〜３６のうちの上部固定部３２を除く３つの固定部３４〜３６は、ねじ締結によってフロントバンパ１１の後面に固定される。なお、押圧補助部３０における２つの上部固定部３２，３４に挟まれた部分と、ベース部３１の車幅方向における外方側の端部とにはそれぞれ、配線などの周辺部材を留めるためのクランプ部３３，３７が設けられている。
【００３１】
図３および図４に示すように、押圧補助部３０は、ベース部３１から後方（詳しくは、衝突検出センサ２０の前面）に向けて突出する形状の凸部３８を有している。この凸部３８は、ベース部３１に、その長手方向（車幅方向）に間隔を置いて複数（７つ）設けられている。
【００３２】
図５および図６に示すように、各凸部３８は、外面が略多角柱形状をなす中空構造で突出している。各凸部３８の内部には格子状のリブ３９が設けられている。このリブ３９によって各凸部３８の剛性が高くなっている。また、各凸部３８は、車幅方向における中央側（図６の右側）に配置される凸部３８Ｅ，３８Ｆ，３８Ｇの車幅方向寸法（Ｌ５，Ｌ６，Ｌ７）と車幅方向における外方側（図６の左側）に配置される凸部３８Ａの車幅方向寸法（Ｌ１）とが、それら凸部の間に配置される凸部３８Ｂ，３８Ｃ，３８Ｄの車幅方向寸法（Ｌ２，Ｌ３，Ｌ４）よりも大きい。
【００３３】
図５に示すように、押圧補助部３０は、ベース部３１を貫通する複数（本実施形態では、６つ）のスリット４０を有している。このスリット４０は、ベース部３１における隣り合う２つの凸部３８に挟まれた部分において、それら凸部３８の外壁に沿って延びている。
【００３４】
図３に示すように、こうした押圧補助部３０をフロントバンパ１１に取り付けることにより、車両１０の前部における右側部分と左側部分とに、それぞれ複数の凸部３８が車幅方向に間隔を置いて並ぶように配置される。なお、フロントバンパ１１の中央部分（詳しくは、フロントグリル１９が取り付けられる部分）の内面には、後方（詳しくは、衝突検出センサ２０の前面）に向けて突出する凸部１１Ａが一体に形成されている。この凸部１１Ａも、車幅方向において間隔を置いて複数設けられている。
【００３５】
以下、こうした押圧補助部３０を設けることによる作用効果について説明する。
図７に示すように、本実施形態では、衝突検出センサ２０の前面に向けて突出する形状の凸部３８を有する押圧補助部３０がフロントバンパ１１の後面に設けられている。ただし、押圧補助部３０には、複数の凸部３８が車幅方向において間隔を置いた位置に形成されている。また、押圧補助部３０のベース部３１における隣り合う２つの凸部３８に挟まれた部分には、同ベース部３１を貫通するスリット４０が形成されている。そのため、押圧補助部３０における凸部３８が形成された部分の剛性が高くなるのに対して、２つの凸部３８に挟まれた部分の剛性は低くなる。これにより、押圧補助部３０における２つの凸部３８に挟まれた部分を曲がり易い構造にすることができる。
【００３６】
これにより、図８に示すように、車両１０前面への衝突体の衝突に際して、フロントバンパ１１や押圧補助部３０が後方に凹み易くなる。そのため、フロントバンパ１１ともども後方に移動する押圧補助部３０の凸部３８によって衝突検出センサ２０の外面（前面）が押圧され易くなる。このように本実施形態によれば、車幅方向に延びる凸部が１つのみ設けられる装置と比較して、押圧補助部３０およびフロントバンパ１１を高い自由度で変形させることができるため、衝突検出センサ２０による衝突検出精度を向上させることができる。
【００３７】
ここで、車両１０が走行中に坂道に差し掛かるなどして、フロントバンパ１１の下面が路面に接触して、同フロントバンパ１１の前方側が上方に持ち上げられることがある。仮にフロントバンパ１１と衝突検出センサ２０との距離が近く、同フロントバンパ１１の一部が衝突検出センサ２０の下方に配置された状態で、フロントバンパ１１と衝突検出センサ２０とが上下方向においてオーバーラップしていると、持ち上げられたフロントバンパ１１によって衝突検出センサ２０の外面が押圧されてしまう。これにより、車両１０の前部に衝突体が衝突したと誤って検出されるおそれがある。なお、車両１０の前部における両外側部分には前照灯１２やフォグランプ１３が設けられるため、車両１０の前部に設けられるフロントバンパ１１が複雑な形状になり易く、同フロントバンパ１１と衝突検出センサ２０とが上下方向においてオーバーラップし易いと云える。
【００３８】
この点、本実施形態では、図４に示すように、フロントバンパ１１の後面に、後方に向けて突出する凸部３８を有する押圧補助部３０が取り付けられている。これにより、衝突検出センサ２０の近傍で、フロントバンパ１１や押圧補助部３０が、衝突検出センサ２０と上下方向においてオーバーラップしない構造になっている。そのため、路面との接触によってフロントバンパ１１の前方側が上方に持ち上げられたとしても、持ち上げられたフロントバンパ１１や押圧補助部３０によって衝突検出センサ２０の外面が押圧されて、誤って衝突が検出されることが抑えられる。
【００３９】
本実施形態では、フロントバンパ１１が合成樹脂によって成形されるため、後面に複数の凸部を一体形成するなどしてフロントバンパ１１を複雑な形状にすると、その成形に際して表面に窪み（いわゆるヒケ）が発生するおそれがある。そして、フロントバンパ１１の中央部分は、フロントグリル１９が設けられて車両１０の外部から隠れるため、表面にヒケが発生しても問題になりにくい。これに対して、フロントバンパ１１の外側部分は、外面が意匠面になる部分であるため、表面にヒケが発生すると商品性の低下を招いてしまう。
【００４０】
本実施形態では、図３に示すように、フロントバンパ１１の中央部分、すなわちヒケの発生が問題になりにくい部分には、凸部１１Ａが一体に形成されている。そして、この中央部分に衝突体が衝突した場合には、上記凸部１１Ａによって衝突検出センサ２０の外面が押圧されるようになる。
【００４１】
一方、フロントバンパ１１の中央部分を間に挟む両外側部分においては、別体に形成された押圧補助部３０がフロントバンパ１１に取り付けられている。これにより、フロントバンパ１１の表面にヒケが発生することを抑えつつ、同フロントバンパ１１の後方に凸部３８を配置することができる。そして、この外側部分に衝突体が衝突した場合には、上記凸部３８によって衝突検出センサ２０の外面が押圧されるようになる。
【００４２】
なお、フロントバンパ１１の両外側部分は、周辺に前照灯１２やフォグランプ１３などが設けられるために複雑な形状になり易く、車両１０の後方に向けて延びる凸部を一体形成することが困難である。本実施形態では、そうしたフロントバンパ１１の両外側部分に、別体の押圧補助部３０が取り付けられるため、後方に向けて延びる凸部３８を容易に配設することができる。
【００４３】
本実施形態では、フロントバンパ１１の前面が車幅方向における外方側に向かうほど後方側の位置になるように湾曲している。このことから、車両１０前部の車幅方向における中央側の部分は、衝突体の侵入角度（図７中の「α」）が大きく（詳しくは、９０度に近く）なり易く、衝突体によってフロントバンパ１１を押圧する力が大きくなり易い。そのため、車両１０前部の中央側の部分では、押圧補助部３０の凸部３８の車幅方向寸法（Ｌ５，Ｌ６，Ｌ７［図６参照］）を大きくして押圧補助部３０の剛性を高くしても、フロントバンパ１１は適度に変形するようになる。
【００４４】
また、車両１０前部の外方側の部分は、衝突体の侵入角度（図７中の「β」）が小さく（詳しくは、１８０度に近く）なり易く、衝突体によってフロントバンパ１１を押圧する力が小さくなり易い。そのため、車両１０前部の外方側の部分では、凸部３８の車幅方向寸法（Ｌ１［図６参照］）を大きくすることによって同凸部３８による衝突検出センサ２０の押圧幅を大きくして、同衝突検出センサ２０の変形量を大きくすることが好ましい。
【００４５】
さらに、車両１０前部における上記中央側の部分と外方側の部分との間の中間部分は、衝突体によってフロントバンパ１１を押圧する力が中央側の部分ほど大きくはないため、凸部３８の車幅方向寸法（Ｌ２，Ｌ３，Ｌ４［図６参照］）を小さくしてフロントバンパ１１および押圧補助部３０の剛性を低くすることが好ましい。これにより、フロントバンパ１１を確実に変形させることができる。
【００４６】
本実施形態では、車幅方向における中央側に配置される凸部３８の車幅方向寸法（Ｌ５，Ｌ６，Ｌ７）と車幅方向における外方側に配置される凸部３８の車幅方向寸法（Ｌ１）とが、それら凸部３８の間に配置される凸部３８の車幅方向寸法（Ｌ２，Ｌ３，Ｌ４）よりも大きくなっている。これにより、フロントバンパ１１の各部における実情に合わせて凸部３８を配置することができるため、衝突検出センサ２０による衝突検出精度を好適に向上させることができる。
【００４７】
以上説明したように、本実施形態によれば、以下に記載する効果が得られる。
（１）フロントバンパ１１の後面に沿って延びるベース部３１と、同ベース部３１から衝突検出センサ２０の前面に向けて突出する形状で車幅方向において間隔を置いて設けられた複数の凸部３８とを有する押圧補助部３０がフロントバンパ１１の後面に取り付けられている。これにより、車幅方向に延びる凸部が１つのみ設けられる装置と比較して、押圧補助部３０およびフロントバンパ１１を高い自由度で変形させることができるため、衝突検出センサ２０による衝突検出精度を向上させることができる。
【００４８】
（２）押圧補助部３０のベース部３１における隣り合う２つの凸部３８に挟まれた部分に、同ベース部３１を貫通するスリット４０を形成した。これにより、押圧補助部３０における２つの凸部３８によって挟まれた部分の剛性を低くすることができるため、押圧補助部３０およびフロントバンパ１１をより高い自由度で変形させることができるようになる。
【００４９】
（３）各凸部３８を中空構造にしたため、中実構造の凸部３８が設けられる場合と比較して、押圧補助部３０の軽量化を図ることができる。これにより、車両１０前面への衝突体の衝突時における押圧補助部３０の移動速度を高くしてフロントバンパ１１の変形速度を高くすることができるため、衝突検出センサ２０による衝突検出精度を向上させることができる。
【００５０】
（４）フロントバンパ１１における中央部分を間に挟む両外側部分には、別体に形成された押圧補助部３０がフロントバンパ１１に取り付けられている。そのため、フロントバンパ１１の表面にヒケが発生することを抑えつつ、同フロントバンパ１１の後方に凸部３８を配置することができる。
【００５１】
（５）車幅方向における中央側に配置される凸部３８Ｅ，３８Ｆ，３８Ｇの車幅方向寸法Ｌ５，Ｌ６，Ｌ７と車幅方向における外方側に配置される凸部３８Ａの車幅方向寸法Ｌ１とを、それら凸部の間に配置される凸部３８Ｂ，３８Ｃ，３８Ｄの車幅方向寸法Ｌ２，Ｌ３，Ｌ４よりも大きくした。これにより、フロントバンパ１１の各部における実情に合わせて凸部３８を配置することができるため、衝突検出センサ２０による衝突検出精度を好適に向上させることができる。
【００５２】
＜変形例＞
なお、上記実施形態は、以下のように変更して実施してもよい。
・凸部３８の形状としては、外面が略多角柱状をなす形状に限らず、周壁外面の少なくとも一部が曲面をなす形状など、任意の形状を採用することができる。
【００５３】
・凸部３８の突端を、メッシュ構造にするなど、複数の貫通孔を有する壁部としてもよい。要は、凸部３８の突端によって衝突検出センサ２０の外面を広範囲にわたって押圧することができればよい。
【００５４】
・凸部３８を中実構造にしてもよい。
・各凸部３８の車幅方向寸法は、全ての凸部について同一寸法にするなど、任意に変更することができる。例えば、車幅方向における外方側に配置される凸部ほど車幅方向寸法が小さくなるように、各凸部の車幅方向寸法を設定してもよい。フロントバンパ１１は、車幅方向における外方側の部分ほど湾曲の度合いが大きく剛性が高い。これに対して、押圧補助部３０の凸部３８の車幅方向寸法を車幅方向における外方側に配置されるものほど小さくすることにより、同押圧補助部３０の剛性が車幅方向における外方側の部分ほど低くなる。したがって、こうした押圧補助部３０をフロントバンパ１１に取り付けることにより、その各部の剛性のばらつきを小さくすることが可能になる。
【００５５】
・押圧補助部３０の各凸部３８を上下方向に分割するなど、押圧補助部３０に対して複数の凸部を車幅方向に並ぶように設けることに加えて、上下方向に並ぶように設けるようにしてもよい。
【００５６】
・スリット４０を省略してもよい。
・スリット４０以外の構造を採用することによって、ベース部３１における隣り合う２つの凸部３８間に局所的に剛性が低い部分（脆弱部）を設けるようにしてもよい。例えばベース部３１における隣り合う２つの凸部３８の間に、同ベース部３１の厚さが局所的に薄くなる形状の溝を形成することなどが可能である。
【００５７】
・２つの押圧補助部３０は、面対称の形状に形成することに限らず、それぞれ周辺の形状に合わせて任意の形状に形成することができる。
・車幅方向における中央部分よりも右側の部分から左側の部分まで延びる１つの押圧補助部を、フロントバンパ１１の後面に取り付けるようにしてもよい。
【００５８】
・衝突検出センサ２０としては、外面が押圧されることによって出力が変化するものであれば、任意の構造のものを採用することができる。そうした衝突検出センサとしては、例えば中空構造の圧力チャンバと同圧力チャンバの内部圧力を検出する圧力検出部とからなる衝突検出センサや、アブソーバと光ファイバと同光ファイバ内を通過する光を監視する光監視部とからなる衝突検出センサなどを挙げることができる。
【符号の説明】
【００５９】
１０…車両、１１…フロントバンパ、１１Ａ…凸部、１２…前照灯、１３…フォグランプ、１４…フード、１５…ポップアップフード装置、１６…アクチュエータ、１７…電子制御装置、１８…バンパリインフォースメント、１９…フロントグリル、２０…衝突検出センサ、２１…圧力チューブ、２２…アブソーバ、２３…圧力検出部、３０…押圧補助部、３１…ベース部、３２，３４…上部固定部、３３，３７…クランプ部、３５，３６…下部固定部、３８，３８Ａ，３８Ｂ，３８Ｃ，３８Ｄ，３８Ｅ，３８Ｆ，３８Ｇ…凸部、３９…リブ、４０…スリット。
【図１】
2018176894.tif 000003
【図２】
2018176894.tif 000004
【図３】
2018176894.tif 000005
【図４】
2018176894.tif 000006
【図５】
2018176894.tif 000007
【図６】
2018176894.tif 000008
【図７】
2018176894.tif 000009
【図８】
2018176894.tif 000010